(57)【特許請求の範囲】
【請求項１】
前後方向にかつ上下方向に延びて水中を左右に分断可能とする拡散防止ユニットと、前後方向に向って列設された複数の上記拡散防止ユニットを互いに連結させる連結手段とを備え、上記拡散防止ユニットが、水面に沿って前後方向に長く延びこの水面に浮かべられる長尺の本体浮体と、水中を前後方向かつ上下方向に延びてその上端縁が上記本体浮体に連結されるカーテンとを備えた水中における汚濁水の拡散防止装置において、
上記各連結手段が、隣り合う上記拡散防止ユニットにおける各本体浮体の互いに対向する両端部の近傍に配設されて水面に浮かべられる連結用浮体と、この連結用浮体に上記各本体浮体の端部をそれぞれ連結させる連結具とを備え、
一端部が上記連結用浮体に連結され他端部が水底に連結されて上記拡散防止ユニットを上記水底に係留させる索条体を備えた水中における汚濁水の拡散防止装置。
【請求項２】
上記連結手段の上端部から上方に突出するようこの連結手段に取り付けられる灯標を備えた請求項１に記載の水中における汚濁水の拡散防止装置。
【請求項３】
上記連結用浮体を、隣り合う上記拡散防止ユニットにおける各本体浮体の間に配設させ、上記連結用浮体の左右方向での各端部を上記本体浮体の左右方向での各端部よりも外側方に位置させた請求項１、もしくは２に記載の水中における汚濁水の拡散防止装置。
【発明の詳細な説明】
【０００１】
【発明の属する技術分野】
本発明は、海岸や河川の埋立地や浚渫地等の水域で生じる汚濁水が、これに隣接する他の清浄な水域に拡散しようとすることを防止する水中における汚濁水の拡散防止装置に関するものである。
【０００２】
【従来の技術】
上記水中における汚濁水の拡散防止装置には、従来、次のように構成されたものがある。
【０００３】
即ち、上記装置が海岸の埋立地に設置されており、この装置が、水平なある一方向である前後方向にかつ上下方向に延びて水中を左右に分断可能とする拡散防止ユニットと、前後方向に向って列設された複数の上記拡散防止ユニットを互いに連結させる連結手段と、一端部が上記本体浮体に連結され他端部が水底のアンカーに係留されるロープなどの索条体とを備えている。
【０００４】
上記の場合、各拡散防止ユニットは、工場での製造や搬送等の便宜上、所定長さに形成されている。また、上記拡散防止ユニットは、水面に沿って前後方向に長く延びこの水面に浮かべられる長尺の本体浮体と、水中を前後方向かつ上下方向に延びてその上端縁が上記本体浮体に連結されるカーテンとを備えている。
【０００５】
また、夜間において、水面上での上記各拡散防止ユニットの設置位置を容易かつ確実に視認させるようにするため、列設された上記本体浮体に沿って水面に複数の灯標が設けられ、これら各灯標は水面に浮く灯標浮体によって、水面上に浮かべられている。
【０００６】
そして、上記した各汚濁防止ユニットにより、埋立地における汚濁水の発生水域と、他の水域とが左右に分断されて、上記汚濁水の発生水域で生じる汚濁水が上記他の清浄な水域に、水流と共に拡散するということが防止される。
【０００７】
【発明が解決しようとする課題】
ところで、上記従来の技術では、次のような問題点がある。
【０００８】
第１に、上記各拡散防止ユニットは水流や波によって大きな水圧を受けることがあり、これに伴って、これら拡散防止ユニットを互いに連結させている連結手段に大きい負荷が与えられることがある。
【０００９】
そこで、上記負荷に対抗するため、連結手段には十分の強度が確保されるが、このように、十分の強度を確保させようとすると、その分、この連結手段が重くなって、この連結手段による両拡散防止ユニットの連結部分を水中により大きく沈み込ませることとなり、よって、汚濁水の発生水域からの汚濁水が上記連結部分の上側を乗り越えて、上記した清浄な水域に拡散し易くなるという問題がある。
【００１０】
第２に、上記従来の技術では、拡散防止ユニットの本体浮体に索条体の一端部が連結されて、この索条体により、上記拡散防止ユニットが水底に係留されているが、このため、上記索条体の一端部の近傍に位置している上記本体浮体の部分と、この本体浮体に連結されているカーテンの部分とは上記索条体の一端部側と接触し易い状態となっている。
【００１１】
よって、上記拡散防止ユニットが水流や波によって変動するとき、上記本体浮体の部分とカーテンの部分とが上記索条体の一端部側と摩擦することにより摩耗し、このため、容易に損傷させられるおそれがある。
【００１２】
そこで、上記各拡散防止ユニットを耐摩耗性とすることが考えられるが、この拡散防止ユニットは形状の大きいものであるため、これを全体的に耐摩耗性にすると、拡散防止装置が極めて高価になるおそれもある。
【００１３】
また、上記したように拡散防止ユニットが損傷したとき、これを他の新しいものに交換させることが考えられるが、上記拡散防止ユニットは形状の大きいものであるため、上記した交換の作業は煩雑であると共に、上記損傷は上記拡散防止ユニットの一部に過ぎないため、上記交換は高価となって好ましくない。
【００１４】
第３に、上記灯標は、各拡散防止ユニットとは別体に設けられたものであるため、これら拡散防止ユニットとは別作業で設置する必要があって、上記灯標の設置作業が煩雑になっている。
【００１５】
また、上記灯標を水面上に浮かせるための灯標浮体が別途に設けられているが、このため、拡散防止装置の部品点数が増えて、その構成が複雑になるという問題がある。
【００１６】
第４に、上記拡散防止ユニットが波によって揺動するとき、この揺動によって上記拡散防止ユニットと索条体との連結部は互いに摩擦するが、この摩擦が激しいと、上記連結部が早期に摩耗して損傷するおそれを生じる。
【００１７】
また、上記灯標も、その寿命上、波の影響を受けずにできるだけ静止状態で、水面上に設置させることが望まれている。
【００１８】
本発明は、上記のような事情に注目してなされたもので、次のことを課題とする。
【００１９】
第１に、隣り合う両拡散防止ユニットの連結手段による互いの連結がより強固になされるようにした場合でも、この連結手段による両拡散防止ユニットの連結部分の上側を汚濁水が乗り越えないようにする。
【００２０】
第２に、上記拡散防止ユニットが、この拡散防止ユニットを係留させる索条体との摩擦によって損傷しないようにし、もって、形状の大きい拡散防止ユニットを他の新しいものに交換するという作業が不要となるようにする。
【００２１】
第３に、水面上での各拡散防止ユニットの設置位置を視認させるために灯標を設置する場合において、この灯標の設置作業が容易にできるようにすると共に、拡散防止装置の構成を簡単にさせるようにする。
【００２２】
第４に、拡散防止ユニット側と索条体との連結部の摩擦を少なくさせて、摩耗による損傷を抑制させる。また、灯標の寿命を向上させるようにする。
【００２３】
【課題を解決するための手段】
上記課題を解決するための本発明の水中における汚濁水の拡散防止装置は、次の如くである。
【００２４】
請求項１の発明は、前後方向にかつ上下方向に延びて水中１４を左右に分断可能とする拡散防止ユニット６と、前後方向に向って列設された複数の上記拡散防止ユニット６，６を互いに連結させる連結手段７とを備え、上記拡散防止ユニット６が、水面１２に沿って前後方向に長く延びこの水面１２に浮かべられる長尺の本体浮体１３と、水中１４を前後方向かつ上下方向に延びてその上端縁が上記本体浮体１３に連結されるカーテン１６とを備えた水中における汚濁水の拡散防止装置において、
【００２５】
上記各連結手段７が、隣り合う上記拡散防止ユニット６，６における各本体浮体１３の互いに対向する両端部の近傍に配設されて水面１２に浮かべられる連結用浮体１９と、この連結用浮体１９に上記各本体浮体１３の端部をそれぞれ連結させる連結具２０とを備え、
【００２６】
一端部が上記連結用浮体１９に連結され他端部が水底１５に連結されて上記拡散防止ユニット６を上記水底１５に係留させる索条体３１を備えたものである。
【００２７】
請求項２の発明は、請求項１の発明に加えて、上記連結手段７の上端部から上方に突出するようこの連結手段７に取り付けられる灯標３４を備えたものである。
【００２８】
請求項３の発明は、請求項１、もしくは２の発明に加えて、上記連結用浮体１９を、隣り合う上記拡散防止ユニット６，６における各本体浮体１３の間に配設させ、上記連結用浮体１９の左右方向での各端部を上記本体浮体１３の左右方向での各端部よりも外側方に位置させたものである。
【００２９】
【発明の実施の形態】
以下、本発明の実施の形態を図面により説明する。
【００３０】
図１〜４において、符号１は海等の水域、２は海岸の埋立地等の汚濁水の発生水域、３は上記汚濁水の発生水域２に隣接する清浄な水域であり、説明の便宜上、矢印Ｆｒをある水平な一方向である前方とし、下記する左右とは、上記前方に向っての方向をいうものとする。
【００３１】
上記汚濁水の発生水域２で生じる汚濁水が、この汚濁水の発生水域２から上記清浄な水域３に拡散しようとすることを防止する水中における汚濁水の拡散防止装置４が設けられている。
【００３２】
上記拡散防止装置４は、前後方向にかつ上下方向に延びて水中を汚濁水の発生水域２と清浄な水域３とに左右に分断可能とする拡散防止ユニット６と、前後方向に向って列設された複数の上記拡散防止ユニット６，６を互いに着脱自在に連結させる連結手段７と、上記各拡散防止ユニット６を所望の水域に係留可能とさせる係留手段８と、上記各拡散防止ユニット６の設置位置を発光により視認させる灯標手段９とを備えている。
【００３３】
上記各拡散防止ユニット６は、水面１２に沿って前後方向に長く延びこの水面１２に浮かべられる長尺の本体浮体１３と、水中１４を前後方向かつ上下方向に延びてその上端縁が上記本体浮体１３に連結され下端縁が水底１５の近傍もしくは水底１５に接するように設けられる遮へい膜であるカーテン１６とを備え、このカーテン１６は上記本体浮体１３に吊り下げられるようにして支持されている。
【００３４】
上記の場合、各拡散防止ユニット６は工場での製造や搬送等の便宜上、所定長さに形成され、互いに同形、同大とされている。
【００３５】
上記本体浮体１３は断面が円形で前後方向に棒状に延びる樹脂製等の発泡体で形成され、可撓性かつ弾性を有して、十分の浮力を有している。また、上記カーテン１６は可撓性の樹脂製シートや、合成繊維で成形されて、全体形状が矩形とされている。
【００３６】
なお、上記本体浮体１３は、円柱形状の複数の浮子を前後方向に連続もしくは断続的に列設させて互いに連結させることにより形成されたものでもよい。また、断面形状は矩形など多角形であってもよい。更に、上記本体浮体１３は、中空の樹脂製パイプで成形してもよい。
【００３７】
上記連結手段７は、隣り合う上記拡散防止ユニット６，６における各本体浮体１３，１３の互いに対向する両端部の間でその各端部の近傍に配設されて水面１２に浮かべられる連結用浮体１９と、この連結用浮体１９の前後各端部に、これに対向する上記本体浮体１３の端部をそれぞれ着脱自在に連結させる連結具２０，２０と、水中１４を前後方向かつ上下方向に延びてその上端縁が上記連結用浮体１９に連結され下端縁が水底１５の近傍もしくは水底１５に接するように設けられる遮へい膜である他のカーテン２１とを備え、この他のカーテン２１は上記本体浮体１３に吊り下げられるように支持されている。
【００３８】
上記連結用浮体１９は、拡散防止装置４の平面視において、隣り合う本体浮体１３，１３の間で、かつ、これら本体浮体１３，１３と左右方向でほぼ同じところに位置する金属製フレーム２３と、このフレーム２３から左右外側方に突出してその基部が上記フレーム２３に締結具２４により着脱自在に締結される左右一対の樹脂製発泡体の浮子２５，２５とを備え、これら各浮子２５の左右方向での各突出端部は上記本体浮体１３の左右方向での各端部よりも外側方に突出するよう位置させられている。また、上記連結具２０は金属製のシャックルで構成されているが、この連結具２０は、上記本体浮体１３の端部に取り付けられたフランジを上記連結用浮体１９のフレーム２３に直接締結させる締結具で構成してもよい。また、上記他のカーテン２１は前記カーテン１６と同様に、可撓性の樹脂製で、全体形状が縦長の矩形とされ、隣り合う両拡散防止ユニット６，６の各カーテン１６，１６の間の空隙を閉じるように形成され、上記各カーテン１６と他のカーテン２１の互いの対向縁は、全体的に着脱自在に連結されている。
【００３９】
上記係留手段８は、一端部２８が上記連結用浮体１９の左右方向のほぼ中央部でこの連結用浮体１９のフレーム２３の下端部に連結され他端部２９が水底１５に設置されたコンクリート製のアンカー３０を介して上記水底１５に連結されたロープ製の索条体３１を備え、この索条体３１により、各拡散防止ユニット６と各連結手段７とを所望の水域に係留させるようこれら各拡散防止ユニット６が水底１５に係留させられている。上記索条体３１はチェーンやワイヤーであってもよい。
【００４０】
前記灯標手段９は、上記連結手段７における連結用浮体１９のフレーム２３の上端に締結具３３により着脱自在に取り付けられ発光可能とされる灯標３４と、上記フレーム２３の上端に着脱自在に取り付けられて上記灯標３４に電力を供給して発光させる太陽光発電装置である電源３５とを備え、上記灯標３４は上記連結用浮体１９の上端部から上方に突出している。
【００４１】
上記構成によれば、各連結手段７が、隣り合う上記拡散防止ユニット６，６における各本体浮体１３の互いに対向する両端部の近傍に配設されて水面１２に浮かべられる連結用浮体１９と、この連結用浮体１９に上記各本体浮体１３の端部をそれぞれ連結させる連結具２０とを備えている。
【００４２】
このため、上記各拡散防止ユニット６，６を互いに連結させている上記連結手段７に十分の強度を確保させようとして、この連結手段７が重くなったとしても、この連結手段７の有する連結用浮体１９によって十分の浮力が得られることから、上記連結手段７が両拡散防止ユニット６，６の連結部分を水中に沈み込ませるということが抑制される。
【００４３】
よって、上記したように、連結手段７による両拡散防止ユニット６，６の互いの連結がより強固になされるようにした場合でも、上記汚濁水の発生水域２からの汚濁水が上記連結部分の上側を乗り越えて上記清浄な水域３に乗り越えるということは防止され、上記清浄な水域３への汚濁水の拡散がより確実に防止される。
【００４４】
また、上記両拡散防止ユニット６，６の各カーテン１６，１６の間の空隙は、上記連結手段７の他のカーテン２１によって閉じられることから、上記したように両拡散防止ユニット６，６の間に連結手段７を設けた場合でも、汚濁水の発生水域２から清浄な水域３への汚濁水の拡散はより確実に防止される。
【００４５】
一方、上記索条体３１の一端部２８の近傍には上記連結用浮体１９と、これに連結されている他のカーテン２１とが位置させられていて、上記索条体３１と接触し易くなっており、このため、上記拡散防止ユニット６が水流や波によって変動し、これと共に上記連結手段７が変動するときには、この連結手段７の連結用浮体１９と他のカーテン２１とは上記索条体３１の一端部２８と摩擦して損傷させられるおそれがある。
【００４６】
そこで、上記連結手段７の連結用浮体１９と他のカーテン２１の耐摩耗性を向上させてもよく、このようにした場合でも、上記連結手段７は拡散防止ユニット６に比べて形状が十分に小さいために、拡散防止装置４が高価になることは抑制される。
【００４７】
また、上記したように連結手段７の連結用浮体１９や他のカーテン２１が損傷したとき、これを他の新しいものに交換するとしても、上記連結手段７は形状が小さいために、上記交換の作業は容易にでき、かつ、安価にできる。
【００４８】
そして、上記構成によれば、拡散防止ユニット６は連結手段７の連結用浮体１９を介して索条体３１により係留されるため、上記拡散防止ユニット６と索条体３１の一端部２８とが互いに接近して、上記拡散防止ユニット６が索条体３１によって損傷させられるということは防止される。よって、形状の大きい拡散防止ユニット６を他の新しいものに交換するという作業は不要となり、作業性の点で有益である。
【００４９】
また、上記拡散防止装置４の平面視で、上記索条体３１は上記各連結手段７からその左右各外側方に向ってほぼ４５°で斜め前方と後方とに延出してその延出端である他端部２９がアンカー３０に連結されている。このため、上記各拡散防止ユニット６はより確実に所望の水域に係留されることとなる。
【００５０】
しかも、前後方向で隣り合う索条体３１，３１は共通のアンカー３０に連結されており、これにより、上記係留手段８が簡単な構成とされている。
【００５１】
また、上記連結手段７の上端部から上方に突出するようこの連結手段７に取り付けられる灯標３４が備えられている。
【００５２】
このため、上記各拡散防止ユニット６と連結手段７の設置作業時に、上記連結手段７に灯標３４を取り付けることができることから、拡散防止ユニット６の設置作業とは別作業で灯標３４を設置していた従来に比べて、この灯標３４の設置作業が容易にできることとなる。
【００５３】
また、従来では、灯標３４を水面１２上に浮かせるために灯標浮体が必要であったが、これが不要になる分、灯標３４を備える拡散防止装置４の構成が簡単になる。
【００５４】
しかも、上記連結手段７はその浮力を大きくするために形状が大きくされており、この連結手段７の上端部から上方に突出するように灯標３４が取り付けられたため、この灯標３４は十分に高く位置させられて、この灯標３４に対する視認は、上記拡散防止ユニット６や連結手段７自体に邪魔されることなく、遠方から確実にできることとなる。
【００５５】
よって、上記各拡散防止ユニット６の設置位置が、上記連結手段７を利用して灯標３４を取り付けるという簡単な構成によって、容易かつ正確に視認される。
【００５６】
また、上記灯標３４はその電源３５が太陽光発電装置であるため、上記灯標３４に対し陸側の電源から配線することは不要であり、これによっても、上記拡散防止装置４の構成が簡単となっている。
【００５７】
また、上記連結用浮体１９は、隣り合う上記拡散防止ユニット６，６における各本体浮体１３の間に配設され、上記連結用浮体１９の左右方向での各端部を上記本体浮体１３の左右方向での各端部よりも外側方に位置させてある。
【００５８】
このため、上記連結用浮体１９は左右方向で幅広とされて、この連結用浮体１９のほぼ重心を通り前後方向に延びる軸心回りで、波によって大きく揺動するということが抑制される。
【００５９】
よって、上記連結用浮体１９と索条体３１との連結部の摩擦が少なくされて、摩耗による損傷が抑制される。
【００６０】
また、上記連結手段７の連結用浮体１９の揺動が抑制される分、この連結用浮体１９の上端部に取り付けられた灯標３４が無用に振動するということも抑制され、もって、この灯標３４の寿命の向上が達成される。
【００６１】
更に、上記連結手段７の連結用浮体１９のフレーム２３の下端部に上記係留手段８の索条体３１の一端部２８が連結されていて、上記係留手段８が連結手段７の左右の中央部を下方に向って引張するウェイトとして働くため、上記連結手段７の連結用浮体１９の揺動が更に抑制される。
【００６２】
図５は、他の実施の形態を示している。
【００６３】
これによれば、連結手段７の連結用浮体１９は、軸心が前後方向に延びる鋼管である金属パイプ製の浮体本体３８と、この浮体本体３８の軸方向の各端部の開口を閉じてその内部空間を密閉にさせる蓋体３９とを備えている。この構成によれば、連結用浮体１９の構成が極めて簡単になる。
【００６４】
他の構成や作用は、前記第１の実施の形態と多くの点で共通しているため、これら共通するものについて、図面に共通の符号を付してその重複した説明を省略する。
【００６５】
【発明の効果】
本発明による効果は、次の如くである。
【００６６】
請求項１の発明によれば、前後方向にかつ上下方向に延びて水中を左右に分断可能とする拡散防止ユニットと、前後方向に向って列設された複数の上記拡散防止ユニットを互いに連結させる連結手段とを備え、上記拡散防止ユニットが、水面に沿って前後方向に長く延びこの水面に浮かべられる長尺の本体浮体と、水中を前後方向かつ上下方向に延びてその上端縁が上記本体浮体に連結されるカーテンとを備えた水中における汚濁水の拡散防止装置において、
【００６７】
上記各連結手段が、隣り合う上記拡散防止ユニットにおける各本体浮体の互いに対向する両端部の近傍に配設されて水面に浮かべられる連結用浮体と、この連結用浮体に上記各本体浮体の端部をそれぞれ連結させる連結具とを備えており、次の効果が生じる。
【００６８】
即ち、上記各拡散防止ユニットが受ける水圧によりこれら拡散防止ユニットを互いに連結させている連結手段には大きな負荷が与えられる。そこで、この負荷に対抗するため、上記連結手段に十分の強度を確保させた場合に、この連結手段が重くなったとしても、この連結手段の有する連結用浮体によって十分の浮力が得られる。
【００６９】
このため、上記連結手段が両拡散防止ユニットの連結部分を水中に沈み込ませるということが抑制される。
【００７０】
よって、上記したように、連結手段による両拡散防止ユニットの互いの連結がより強固になされるようにした場合でも、汚濁水の発生水域からの汚濁水が上記連結部分の上側を乗り越えて清浄な水域に乗り越えるということは防止されて、上記清浄な水域への汚濁水の拡散がより確実に防止される。
【００７１】
また、一端部が上記連結用浮体に連結され他端部が水底に連結されて上記拡散防止ユニットを上記水底に係留させる索条体を備えており、次の効果が生じる。
【００７２】
即ち、上記索条体の一端部の近傍には上記連結用浮体が位置させられていて、上記索条体と接触し易くなっており、このため、上記拡散防止ユニットが水流や波によって変動し、これと共に上記連結手段が変動するときには、この連結手段の連結用浮体は上記索条体の一端部と摩擦して損傷させられるおそれがある。
【００７３】
そこで、上記連結手段の連結用浮体の耐摩耗性を向上させてもよく、このようにした場合でも、上記連結手段は拡散防止ユニットに比べて形状が十分に小さいために、拡散防止装置が高価になることは抑制される。
【００７４】
また、上記したように連結手段の連結用浮体が損傷したとき、これを他の新しいものに交換するとしても、上記連結手段は形状が小さいために、上記交換の作業は容易にでき、かつ、安価にできる。
【００７５】
そして、上記構成によれば、拡散防止ユニットは、連結手段の連結用浮体を介して索条体により係留されるため、上記拡散防止ユニットと索条体の一端部とが互いに接近して、上記拡散防止ユニットが索条体によって損傷させられるということは防止される。よって、形状の大きい拡散防止ユニットを他の新しいものに交換するという作業は不要となり、作業性の点で有益である。
【００７６】
請求項２の発明によれば、上記連結手段の上端部から上方に突出するようこの連結手段に取り付けられる灯標を備えている。
【００７７】
このため、上記各拡散防止ユニットと連結手段の設置作業時に、上記連結手段に灯標を取り付けることができることから、拡散防止ユニットの設置作業とは別作業で灯標を設置していた従来に比べて、この灯標の設置作業が容易にできることとなる。
【００７８】
また、従来では、灯標を水面上に浮かせるために灯標浮体が必要であったが、これが不要になる分、灯標を備える拡散防止装置の構成が簡単になる。
【００７９】
しかも、上記連結手段はその浮力を大きくするために形状が大きくされており、この連結手段の上端部から上方に突出するように灯標が取り付けられたため、この灯標は十分に高く位置させられて、この灯標に対する視認は、上記拡散防止ユニットや連結手段自体に邪魔されることなく、遠方から確実にできることとなる。
【００８０】
よって、上記各拡散防止ユニットの設置位置が、上記連結手段を利用して灯標を取り付けるという簡単な構成によって、容易かつ正確に視認される。
【００８１】
請求項３の発明によれば、上記連結用浮体を隣り合う上記拡散防止ユニットにおける各本体浮体の間に配設させ、上記連結用浮体の左右方向での各端部を上記本体浮体の左右方向での各端部よりも外側方に位置させてある。
【００８２】
このため、上記連結用浮体は左右方向で幅広とされて、この連結用浮体のほぼ重心を通り前後方向に延びる軸心回りで、波によって大きく揺動するということが抑制される。
【００８３】
よって、上記連結用浮体と索条体との連結部の摩擦が少なくされて、摩耗による損傷が抑制される。
【００８４】
また、上記連結手段の連結用浮体の揺動が抑制される分、この連結用浮体の上端部に取り付けられた灯標が無用に振動するということも抑制され、もって、この灯標の寿命の向上が達成される。
【図面の簡単な説明】
【図１】  拡散防止装置の斜視図である。
【図２】  拡散防止装置の全体側面線図である。
【図３】  拡散防止装置の全体平面線図である。
【図４】  図１で示したものの斜視図である。
【図５】  他の実施の形態で、図１に相当する図である。
【符号の説明】
１      水域
２      汚濁水の発生水域
３      清浄な水域
４      拡散防止装置
６      拡散防止ユニット
７      連結手段
８      係留手段
９      灯標手段
１２    水面
１３    本体浮体
１４    水中
１５    水底
１６    カーテン
１９    連結用浮体
２０    連結具
２１    他のカーテン
２８    一端部
２９    他端部
３１    索条体
３４    灯標
３５    電源
【図１】
0004058743.tif 000002
【図２】
0004058743.tif 000003
【図３】
0004058743.tif 000004
【図４】
0004058743.tif 000005
【図５】
0004058743.tif 000006